(57)【要約】【課題】同種の大きさの印刷物から特定の印刷物を選別することが安価かつ容易で、かつ、当該印刷物を製造する際、印刷ずれを起こさない印刷物を提供すること。【解決手段】印刷物に、少なくとも一辺に、感知用の少なくとも一つの凹部が設けられていることからなる。また、印刷物が、はがきであること、凹部が、2mm四方以内の大きさであること、凹部が四角形又は半円形であることであること、凹部が、上辺及び下辺に少なくとも一つずつ、又は、右辺及び左辺に少なくとも一つずつ、端部から同じ距離の位置に設けられていることからなる。【選択図】図１
0003160817.tif 000002
【実用新案登録請求の範囲】
【請求項１】
少なくとも一辺に、感知用の少なくとも一つの凹部が設けられていることを特徴とする印刷物。
【請求項２】
印刷物が、はがきであることを特徴とする請求項１に記載の印刷物。
【請求項３】
凹部が、2mm四方以内の大きさであることを特徴とする請求項１又は２に記載の印刷物。
【請求項４】
凹部が四角形又は半円形であることを特徴とする請求項１ないし３のいずれか一項に記載の印刷物。
【請求項５】
凹部が、上辺及び下辺に少なくとも一つずつ、又は、右辺及び左辺に少なくとも一つずつ、端部から同じ距離の位置に設けられていることを特徴とする請求項１ないし４のいずれか一項に記載の印刷物。
【請求項６】
凹部が、上辺及び下辺に一つずつ、又は右辺及び左辺に一つずつ、各々辺の中央に設けられていることを特徴とする請求項５に記載の印刷物。
【請求項７】
ロール状又はシート状の用紙に、一定間隔で四角形状又は円形の孔が設けられた印刷物であって、当該孔を通る線に沿って一定間隔で切り取られると、孔であった部分が凹部として請求項１〜６に記載の印刷物となる印刷物。
【考案の詳細な説明】
【技術分野】
【０００１】
本考案は、凹部を有する印刷物、特に少なくとも一辺上に凹部を有するはがきに関する。
【背景技術】
【０００２】
従来より、広告・ダイレクトメール・チラシ、特にはがきなどの印刷物においては、同じ形状の印刷物から特定の印刷物を選別する必要がある場合がある。例えば、ダイレクトメールに同封された返信用はがきが広告主に送付され、様々なはがきの中から当該ダイレクトメールに係る返信用はがきを選別する場合がある。そして、コスト圧力が厳しい現在、この作業に時間や費用をかけることは出来るだけ避ける必要がある。
【０００３】
また、はがきなど、同種のデザインの印刷物を大量に製造する場合は、ロール状又はシート状として印刷し、所定の間隔で切り離して製造する場合が多い。一方、切手などのロール状印刷物において、検査光の投光と、通過した光をセンサーによって感知することで、部数などを管理する技術が開示されているが（例えば、特許文献１参照）、印刷機械によっては各部の切れ目を適切に認識できず、印刷ずれなどを起こすおそれがある。さらに、郵便はがきなどに孔を設けてしまうと、規格外（定形外）となってしまい、郵送できないか郵送費用が上がってしまうという問題点があった。
【先行技術文献】
【特許文献】
【０００４】
【特許文献１】特開２００２−２００１０号公報
【考案の概要】
【考案が解決しようとする課題】
【０００５】
そこで、本考案の目的は、同種の大きさの印刷物から特定の印刷物を選別することが安価かつ容易で、かつ、当該印刷物を製造する際、印刷ずれを起こさない印刷物を提供すること、及び上記の機能を有しつつ、定形を維持するはがきを提供することを目的とする。
【課題を解決するための手段】
【０００６】
当該目的を達成するため、本考案の印刷物は、少なくとも一辺に、感知用の少なくとも一つの凹部が設けられていることからなる。
また、印刷物が、はがきであることが好適である。
また、凹部が、2mm四方以内の大きさであることであることが好適である。
また、凹部が四角形又は半円形であることであることが好適である。
また、凹部が、上辺及び下辺に少なくとも一つずつ、又は、右辺及び左辺に少なくとも一つずつ、端部から同じ距離の位置に設けられていること、特には凹部が、上辺及び下辺に一つずつ、又は右辺及び左辺に一つずつ、各々辺の中央に設けられていることが好適である。
さらに、本考案の印刷物は、ロール状又はシート状の用紙に、一定間隔で四角形状又は円形の孔が設けられた印刷物であって、当該孔を通る線に沿って一定間隔で切り取られると、孔であった部分が凹部として上記の印刷物となることが好適である。
【０００７】
本考案の印刷物には、印刷物の少なくとも一辺に、少なくとも１つの凹部が設けられる。穴（孔）を設けるのでなく、辺に沿って凹部を設けたことにより、例えば同じ形状の印刷物から特定の印刷物を選別する時に、光センサーなどを使用して選別することが可能であるが、凹部を有する辺を手で触ることでも、簡単に区別することができる。したがって、作業効率を向上させ費用や時間も節約できるものである。これは、同種の形状が用いられるはがきの場合に特に有効である。
【０００８】
また、凹部の大きさを２mm四方以内に納めることで、印刷物の機能自体を損傷することがなく、またはがきの場合には、はがきの定型規格性を損なうこともない。
凹部を設ける際の製造上の容易さから、凹部は四角形又は半円形であることが好適であり、特に本発明の印刷物を一枚の用紙から大量に製造する時に有用である。
凹部は、上辺と下辺、又は右辺と左辺に少なくとも一つずつ設けることで、どちらから感知しても選別が容易であり、また一枚の用紙から大量に製造するのに容易である。好ましくは上辺と下辺、又は右辺と左辺に一つずつ、辺の中央に設けられることで、本発明の機能を損なわずに凹部の数を最小限に抑え、一枚の用紙からの製造が特に容易となる。
【０００９】
また、上記の印刷物を製造する工程を容易にするため、ロール状又はシート状の用紙で、一定間隔で四角形状又は円形の孔が設けられた印刷物であることが好適である。そして、当該孔を通る線に沿って一定間隔で切り取られると、孔であった部分が凹部として上記の印刷物とすることで、同形状の印刷物を大量に生産することができる。見方を変えれば、この用紙は同種形状の上記の印刷物の連結体であり、所定の印刷物の凹部が隣の印刷物の凹部と連結している構成と考えることもできる。
そして、製造過程においては、孔の部分に検査光を当てて、通過光を検知することで、印刷開始・終了箇所・切り取り箇所などを容易に検出でき、印刷ずれをなくすことができる。  
【考案の効果】
【００１０】
本考案の以上の構成により、同種の大きさの印刷物から特定の印刷物を選別することが安価かつ容易で、かつ、当該印刷物を製造する際、印刷ずれを起こさない印刷物を提供すること、及び上記の機能を有しつつ、定形を維持するはがきを提供することが可能となった。
【図面の簡単な説明】
【００１１】
【図１】本考案の印刷物（はがき）を示す図である。
【図２】本考案の印刷物（はがき）の連結体を示す図である。
【考案を実施するための形態】
【００１２】
本考案の実施の形態の一例を図面にしたがって説明する。
【００１３】
図１は、本考案の印刷物（はがき）を示す図である。
はがき１は、通常はがき（短辺90〜107mm×長辺140〜154mm）の規格を満たすはがきであって、その上辺２の中央部及び下辺３の中央部に、凹部４が設けられている。凹部４は縦横2mm以下の四角形状（長方形又は正方形）をしている。
これにより、凹部４のない同種形状のはがきから、手で触ったり、センサーに通すことで容易に本考案のはがきを選出することができる。また、凹部の大きさが縦横2mm以下にすぎず、通常はがきとしての性質を損なうことがない。また、意匠的にも美観にすぐれた外観を得ることができる。
【００１４】
図２は、図１に記載のはがきの連結体である。
用紙５は、一定間隔で孔６が設けられている。そして、この孔６に検査光を当てて、通過光を検知することで、印刷開始・終了箇所を容易に検出でき、印刷ずれをなくすことができる。また、図１に記載の凹部４を有するはがき１となるよう、孔６を通る直線７で切取・裁断等することにより、図１に記載の凹部４を有するはがき１を大量に生産できる。
【００１５】
なお、凹部４の数を増やしたり、三角形など他の形状にしたり、上下辺でなく左右辺に設けたりするなどの設計変更は当然に可能である。さらに、往復はがきなど他の規格のはがきに適用したり、印刷物の形状をはがき以外の形状にしたりするなど、本考案の効果を失わない限り、様々な設計変更が可能である。
【符号の説明】
【００１６】
１        はがき
２        上辺
３        下辺
４        凹部
５        用紙
６        孔
７        直線
【図１】
0003160817.tif 000003
【図２】
0003160817.tif 000004